(57)【要約】【課題】生産効率が高い移動体検出装置及び移動体検出装置の製造方法を提供する。【解決手段】移動体検出装置１００は、被検出体Ｄの移動に応じた電気信号を出力する磁気検出素子１０と、磁気検出素子１０に磁界を加える磁石２０と、磁気検出素子１０に接続されるリード端子３０と、磁気検出素子１０、磁石２０およびリード端子３０を収容する収容部４３を有する第１のハウジング４０と、収容部４３を覆って第１のハウジング４０と嵌合連結され被検出体Ｄと対向して配置される第２のハウジング５０と、を備え、リード端子３０の磁気検出素子１０側の端部の、収容部４３の外周方向側に突出部３１ｃ、３２ｃと、収容部４３の、リード端子３０側の面に凹部Ｒと、を備え、凹部Ｒは、突出部３１ｃ，３２ｃと相対する位置に形成されてなることを特徴とする。【選択図】図４
2020085649.tif 000002
【特許請求の範囲】
【請求項１】
被検出体の移動に応じた電気信号を出力する磁気検出素子と、
前記磁気検出素子に磁界を加える磁石と、
前記磁気検出素子に接続されるリード端子と、
前記磁気検出素子、前記磁石および前記リード端子を収容する収容部を有する第１のハウジングと、
前記収容部を覆って前記第１のハウジングと嵌合連結され前記被検出体と対向して配置される第２のハウジングと、を備えた移動体検出装置において、
前記リード端子の前記磁気検出素子側の端部の、前記収容部の外周方向側に突出部と、
前記収容部の、前記リード端子側の面に凹部と、を備え、
前記凹部は、前記突出部と相対する位置に形成されてなること
を特徴とする移動体検出装置。
【請求項２】
被検出体の移動に応じた電気信号を出力する磁気検出素子と、
前記磁気検出素子に磁界を加える磁石と、
前記磁気検出素子に接続されるリード端子と、
前記磁気検出素子、前記磁石および前記リード端子を収容する収容部を有する第１のハウジングと、
前記収容部を覆って前記第１のハウジングと嵌合連結され前記被検出体と対向して配置される第２のハウジングと、を備える移動体検出装置の製造方法であって、
前記リード端子の前記磁気検出素子側の端部の、前記収容部の外周方向側に突出部を設ける工程と、
前記収容部の前記リード端子側の面の前記突出部と相対する位置に、凹部を設ける工程と、
を備えること
を特徴とする移動体検出装置の製造方法。
【発明の詳細な説明】
【技術分野】
【０００１】
本発明は、磁気検出素子を用いる移動体検出装置、及び移動体検出装置の製造方法に関する。
【背景技術】
【０００２】
直線運動や回転運動する移動体の移動を検出するための移動体検出装置が用いられている。例えば、特許文献１に開示されている移動体検出装置（回転検出装置）は、リード端子が中ケースにインサート成形されたものである。
【先行技術文献】
【特許文献】
【０００３】
【特許文献１】特開２００８−１６４４３９号公報
【発明の概要】
【発明が解決しようとする課題】
【０００４】
特許文献１に開示された移動体検出装置では、中ケースにリード端子をインサート成形する工程において、樹脂の成形圧等によってリード端子の位置がずれた場合に、複数のリード端子間の距離が規定以上となり磁気検出素子との接続に支障が出る、またはリード端子同士が接触し中ケース内部で短絡するなどの不良品が生じる虞があり、改善の余地があった。
【０００５】
本発明は、このような実情に鑑みてなされたものであり、生産効率が高い移動体検出装置及び移動体検出装置の製造方法を提供することを目的とする。
【課題を解決するための手段】
【０００６】
本発明の移動体検出装置１００は、
被検出体Ｄの移動に応じた電気信号を出力する磁気検出素子１０と、
磁気検出素子１０に磁界を加える磁石２０と、
磁気検出素子１０に接続されるリード端子３０と、
磁気検出素子１０、磁石２０およびリード端子３０を収容する収容部４３を有する第１のハウジング４０と、
収容部４３を覆って第１のハウジング４０と嵌合連結され被検出体Ｄと対向して配置される第２のハウジング５０と、を備え、
リード端子３０の磁気検出素子１０側の端部の、収容部４３の外周方向側に突出部３１ｃ、３２ｃと、
収容部４３の、リード端子３０側の面に凹部Ｒと、を備え、
凹部Ｒは、突出部３１ｃ，３２ｃと相対する位置に形成されてなること
を特徴とする。
【０００７】
本発明の移動体検出装置１００の製造方法は、
被検出体Ｄの移動に応じた電気信号を出力する磁気検出素子１０と、
磁気検出素子１０に磁界を加える磁石２０と、
磁気検出素子１０に接続されるリード端子３０と、
磁気検出素子１０、磁石２０およびリード端子３０を収容する収容部４３を有する第１のハウジング４０と、
収容部４３を覆って第１のハウジング４０と嵌合連結され被検出体Ｄと対向して配置される第２のハウジング５０と、を備える移動体検出装置１００の製造方法であって、
リード端子３０の磁気検出素子１０側の端部の、収容部４３の外周方向側に突出部３１ｃ，３２ｃを設ける工程と、
収容部４３のリード端子３０側の面の前記突出部３１ｃ，３２ｃと相対する位置に、凹部Ｒを設ける工程と、
を備えること
を特徴とする移動体検出装置１００の製造方法である。
【発明の効果】
【０００８】
本発明によれば、生産効率が高い移動体検出装置及び移動体検出装置の製造方法を提供することができる。
【図面の簡単な説明】
【０００９】
【図１】本発明の一実施形態に係る移動体検出装置を示す図。
【図２】図１を下方（−Ｚ方向）から見た図。
【図３】図２のＡ−Ａ線断面図。
【図４】図１の移動体検出装置から第２のハウジングを外した図。
【図５】リード端子を示す図。
【図６】図４の第１のハウジングを上方（＋Ｚ方向）から見た図。
【図７】凹部とリード端子の位置関係を示す図。
【図８】図１の第２のハウジングを示す図。
【発明を実施するための形態】
【００１０】
以下、本発明を実施するための一実施形態に係る移動体検出装置を、図面を参照しながら説明する。
なお、以下の説明では、図１に示した移動体検出装置１００の状態を基準として、前後方向をＸ方向、左右方向をＹ方向、上下方向をＺ方向とする。また、Ｘ方向、Ｙ方向及びＺ方向を示す矢印が向く方向を＋（プラス）方向、その反対方向を−（マイナス）方向として説明する。
本発明の移動体検出装置１００は、図２，図３に示すように被検出体Ｄの移動に応じた電気信号を出力する磁気検出素子１０と、磁気検出素子１０に磁界を加える磁石２０と、磁気検出素子１０に接続されるリード端子３０と、磁気検出素子１０、磁石２０およびリード端子３０が一方側に取り付けられる第１のハウジング４０と、第１のハウジング４０の一方側を覆って嵌合連結され被検出体と対向して配置される第２のハウジング５０と、を有し、第１のハウジング４０には、固定対象７０に固定設置するための固定部４２が設けられるとともに、リード端子３０の一部が埋設一体化されて構成されている。
【００１１】
移動体検出装置１００は、例えば、二輪車の前輪の車軸近傍に設けられる回転検出装置として構成され、検出される前輪の回転数から車速を計測する。すなわち、移動体検出装置１００では、前輪の車軸が被検出体Ｄとされ、車軸近傍の車体が固定対象７０とされ、固定対象７０に第１のハウジング４０の固定部４２が固定され、第１のハウジング４０に嵌合連結された第２のハウジング５０が車軸と対向して配置される。
【００１２】
磁気検出素子１０は、被検出体である移動体Ｄの移動（回転）に伴う磁界の変化を感知するホールＩＣなどで構成されている。磁気検出素子１０は、先端の鉛直面（Ｙ−Ｚ面）の検出部（検出面）１０ａに対して端子１０ｂが検出部１０ａの上端から直角に後方（−Ｘ方向）に突き出して設けられている。磁気検出素子１０は、第１のハウジング４０の収容部４３に収容される。収容部４３は、第１のハウジング４０と一体に成形され前方（＋Ｘ方向）に突き出すように形成されている。収容部４３は、図４に示すように前方側中央部付近が開口するとともに、上方（＋Ｚ方向）が開口した第１凹部４３ａが形成され、第１凹部４３ａ内に上方（＋Ｚ方向）から磁気検出素子１０の検出部１０ａが収容されて検出部１０ａの先端面（＋Ｘ方向の端面）が前方側中央部付近の開口に位置して被検出体と対向するように配置される。
【００１３】
磁石２０は、磁気検出素子１０に磁界を加えるためのものである。磁石２０は、例えば直方体状に形成されたフェライト磁石で構成される。磁石２０は、図３に示すように、磁気検出素子１０が収容される第１凹部４３ａに隣接する後方（−Ｘ方向）に設けられ下方（−Ｚ方向）が開口した第２凹部４３ｂに下方から収容されている。
【００１４】
リード端子３０は、図５に示すように、リード３１，３２からなる。また、リード３１，３２は、図３，図５に示すように後述するコネクタ部４４から露出する後方側の端部３１ａ，３２ａと、収容部４３とコネクタ部４４の中間付近から露出し、磁気検出素子１０の端子１０ｂと電気的に接続される端子接続部３１ｂ，３２ｂと、端部３１ａ，３２ａと反対側の端部（検出部１０ａ方向）に突出部３１ｃ，３２ｃと、を備えている。突出部３１ｃ，３２ｃは、リード３１，３２の片側に設けられる。リード３１，３２は、端部３１ａ，３２ａを図示しない金型や治具によって突出部３１ｃ，３２ｃが２本のリード３１，３２に対し外側の向きになるように平行に支持され、第１のハウジング４０に一体成形される収容部４３の上面と平行に配置されて第１のハウジング４０および収容部４３にインサート成形により埋設一体化される（図６参照）。このとき、図示しない金型や治具によって、突出部３１ｃ，３２ｃ間のリード端子３０の先端（＋Ｘ）方向および左右（Ｙ）方向の位置を規制しておくことで、リード３１，３２の接触を防止するとともに収容部４３に凹部Ｒが形成される。凹部Ｒは図示しない金型の跡である。凹部Ｒと突出部３１ｃ，３２ｃの位置関係を図７に示す。凹部Ｒは、突出部３１ｃ，３２ｃと相対する位置に形成される。凹部ＲのＹ方向の長さは、突出部３１ｃ，３２ｃ間のＹ方向の長さより短い。凹部ＲのＹ方向の長さが突出部３１ｃ，３２ｃ間の長さより短いことによって、図示しない金型の位置にバラツキが生じても、リード３１，３２が接触しない。また、樹脂成形圧がかかり、リード３１，３２の位置がずれた場合には、突出部３１ｃ，３２ｃの＋Ｘ方向内側の面が図示しない金型に接触することでリード３１，３２は接触しない。凹部Ｒは、検出部１０ａに対して平行に形成されている。リード３１，３２の端子接続部３１ｂ，３２ｂがそれぞれ磁気検出素子１０の端子１０ｂ，１０ｂと抵抗溶接によって電気的に接続され、後方側の端部３１ａ，３２ａが第１のハウジング４０の後方のコネクタ部４４内に突き出すコネクタピンとして検出信号を外部に導出できるようにしてある。
【００１５】
第１のハウジング４０は、図４に示すように、大小２つの円弧部を連結した外形が略小判状の本体部４１と、本体部４１の小さな円弧部の中心部に同心上に形成された固定部４２と、本体部４１の大きな円弧部の中心部から前方（＋Ｘ方向）に突き出して一体に形成された収容部４３と、本体部４１の大きな円弧部から後方（−Ｘ方向）に突き出して一体に形成されたコネクタ部４４と、を備えて構成されており、例えばポリブチレンテレフタレート（ＰＢＴ：Poly Butylene Terephthalate）樹脂など合成樹脂製とされている。なお、２つの円弧部の大きさは同じであっても良い。
【００１６】
固定部４２は、金属製で円筒状のカラー４２ａを備えるとともに、第１のハウジング４０の本体部４１の下方（−Ｚ方向）に突き出す部分に一体化されている。固定部４２は、本体部４１の小さな円弧部に金属製の円筒状のカラー４２ａをインサート成形することで一体化されている。カラー４２ａには、図３に示すように、後方（−Ｘ方向）から固定用ボルトを入れて固定対象７０に締め付けることで、第１のハウジング４０を固定できる。
本体部４１は、大きな円弧部の内側縁部と小さな円弧部のカラー４２ａの大きな円弧部側の半円部とで囲まれる部分が側壁部４１ａとされ、側壁部４１ａで囲まれた内側部分が凹部とされて平板状の底板部４１ｂで後方（−Ｘ方向）側が塞がれている。
【００１７】
底板部４１ｂは、第２のハウジング５０とのＸ方向の接触面である。底板部４１ｂは、第２のハウジング５０のフランジ部５２と当接される。
【００１８】
収容部４３は、合成樹脂からなり、図３に示すように円柱部４３ｃを備えている。円柱部４３ｃの外周部には、Ｏリング溝が形成されてＯリング４５が装着され、後述する嵌合連結される第２のハウジング５０との間をシール状態とする。
収容部４３の長手（Ｘ）方向の中ほど（中央付近）から端子接続部３１ｂ，３２ｂが露出している。端子接続部３１ｂ、３２ｂの間に凹部Ｒが形成されている。
収容部４３は、既に説明したように、第１凹部４３ａと第２凹部４３ｂとが設けられ、第１凹部４３ａ（図３参照）には、磁気検出素子１０が、第２凹部４３ｂには、磁石２０がそれぞれ装着される。
【００１９】
コネクタ部４４は、中空の四角筒状とされて後方（−Ｘ方向）が開口し、本体部４１の底板部４１ｂから後方に突き出して一体に形成されており、外部の装着側のコネクタ（図示せず）を所定の向きに連結でき、係止凹凸部によってコネクタ同士の係止連結状態を保持できるようにしてある。
【００２０】
第２のハウジング５０は、図１，図８に示すように第１のハウジング４０の一方側（前方側（＋Ｘ方向））の収容部４３（図３参照）を覆って嵌合連結され被検出体Ｄ（図２参照）と対向して配置される有底の円筒部５１と、円筒部５１の開口端に一体に形成されたフランジ部５２とを備えて形成されている。第２のハウジング５０は、第１のハウジング４０と同一の合成樹脂製とされ、例えば、ポリブチレンテレフタレート（ＰＢＴ）樹脂など合成樹脂製とされている。
第２のハウジング５０は、第１のハウジング４０に一体に形成された収容部４３に収容された磁気検出素子１０および磁石２０などを覆うカバーとして円筒部５１が機能しており、円筒部５１の外周には、補強用のリブ５１ａが円周方向等間隔に複数本一体に形成してある。リブ５１ａにより、剛性を高めて固定対象７０からの振動の影響を緩和する。また、リブ５１ａは、Ｏリング５３取り付け時の誘い込みおよび移動体検出装置１００を固定対象７０に取り付ける際の誘い込みとしての機能を有している。円筒部５１のリブ５１ａの後方には、Ｏリング溝５１ｂが形成され、Ｏリング５３が装着され、固定対象７０との間をシールするとともに、Ｏリング５３によって固定対象７０からの振動の第１のハウジング４０への伝達を抑えている。
フランジ部５２は、第１のハウジング４０の側壁部４１ａの内側形状に沿った外形状に形成されており、周囲を囲む側壁部５２ａと、側壁部５２ａの前方側の開口部を塞ぐとともに、円筒部５１が一体に設けられた蓋板部５２ｂとで構成される。側壁部５２ａの底面５２ｃは、第１のハウジング４０とのＸ方向の接触面である。
これにより、第２のハウジング５０を第１のハウジング４０の内側に被せるように装着して連結することで、第１のハウジング４０の側壁部４１ａの内側に、第２のハウジング５０のフランジ部５２の側壁部５２ａが接するように嵌合され、側壁部４１ａの開口部が蓋板部５２ｂで塞がれた状態となり、フランジ部５２が第１のハウジング４０の固定部４２と同一の厚みとなる。
すなわち、第１のハウジング４０の本体部４１の側壁部４１ａの高さと第２のハウジング５０のフランジ部５２の側壁部５２ａの高さが、嵌合連結状態とした場合に、蓋板部５２ｂが第１のハウジング４０の固定部４２と同一の厚みとなるように設定してある。
また、第２のハウジング５０のフランジ部５２は、第１のハウジング４０を固定部４２によって固定対象７０（図３参照）に固定設置すると、第１のハウジング４０と固定対象７０とに挟み込まれることになり、移動体検出装置１００を確実に固定対象７０に保持することができる。
【００２１】
第１のハウジング４０と第２のハウジング５０との間には、図４，図８に示すように嵌合連結状態を保持する連結保持機構６０が設けられている。
固定対象７０に固定される固定側となる第１のハウジング４０には、側壁部４１ａに４箇所の係合凹部６１が略矩形の孔として形成されている。
第１のハウジング４０に嵌合連結される連結側となる第２のハウジング５０の側壁部５２ａに、係合凹部６１に内側から外側に向かって係合するフックを備えた係合凸部６２が一体に形成されている。
これにより、第２のハウジング５０の側壁部５２ａを第１のハウジング４０の側壁部４１ａの内側に装着して連結することで、第２のハウジング５０の係合凸部６２のフックが第１のハウジング４０の係合凹部６１の孔に係合し、第１のハウジング４０と第２のハウジング５０の嵌合連結状態が連結保持機構６０で保持される。
なお、係合凹部６１と係合凸部６２は、逆に第１のハウジング４０に係合凸部６２を設け、第２のハウジング５０に係合凹部６１を設けるようにしても良い。
さらに、この移動体検出装置１００では、第１のハウジング４０を固定部４２を介して固定対象７０に固定設置すると、第１のハウジング４０に嵌合連結した第２のハウジング５０のフランジ部５２が、第１のハウジング４０と固定対象７０とに挟み込まれることになり、例え、連結保持機構６０による嵌合連結状態に問題が生じても移動体検出装置１００を確実に固定対象７０に保持することができる。
【００２２】
このような移動体検出装置１００は、図３に示すように、円柱部４３ｃにＯリング４５を装着し、収容部４３に磁気検出素子１０および磁石２０を収納した第１のハウジング４０に第２のハウジング５０を被せるようにして嵌合連結し、連結保持機構６０の係合凹部６１と係合凸部６２とを係合して連結状態を保持する。また、第２のハウジング５０のＯリング溝５１ｂにＯリング５３を装着しておく。
次いで、移動体検出装置１００を、固定対象７０に形成した被検出体Ｄと対向する取付孔７１に第２のハウジング５０を装着するようにし、第１のハウジング４０の固定部４２のカラー４２ａに入れた取付ボルトを固定対象７０に締め付けることで固定する。コネクタ部４４には、外部から装着用のコネクタが接続され、検出信号を外部に出力できるようにする。
これにより、移動体検出装置１００は、取付ボルトで固定対象７０に固定され、被検出体Ｄと磁気検出素子１０が対向した状態となり、被検出体の移動量（回転数など）が磁気検出素子１０で検出（計測）される。
移動体検出装置１００を、例えば、回転検出装置とする場合には、二輪車の前輪の車軸が被検出体Ｄとされ、車軸近傍の車体が固定対象７０とされ、固定対象７０に第１のハウジング４０の固定部４２を固定することで、第１のハウジング４０に嵌合連結された第２のハウジング５０の先端が取付孔７１内で車軸と対向して配置される。これにより、被検出体Ｄである二輪車の車軸が回転することにより生じる磁気変化から車軸の回転数が計測され、車速が演算されて外部に出力されたり、あるいは、車軸の回転数が検出されて出力される。
【００２３】
移動体検出装置１００では、第１のハウジング４０に収容部４３を一体に形成してリード端子３０をインサート成形により埋設一体化しておき、収容部４３の第１凹部４３ａに磁気検出素子１０を収容し、第２凹部４３ｂに磁石２０を収容し、第１のハウジング４０を、固定部４２を介して固定対象７０に固定しているので、被検出体Ｄの振動系と移動体検出装置１００の振動系が同一となる。
これにより、従来の装置では、第２のハウジング５０を機器側である固定対象７０に固定し、第２のハウジング５０に第１のハウジング４０を連結していたので、被検出体の振動が第２のハウジング５０を介して磁気検出素子１０や磁石２０が収容固定された第１のハウジング４０に伝達され、２つの振動系から振動が伝達され、これらの振動の影響により検出精度の低下を招いていたが、本発明の移動体検出装置１００によれば、振動系が１つとなり振動の影響を抑えて高精度に検出することができる。
移動体検出装置１００では、第１のハウジング４０の内側に第２のハウジング５０を配置して嵌合連結するようにしたので、第２のハウジング５０をコンパクトにすることができ、小型軽量化により振動系の質量を小さくして振動の影響を抑えることができる。
また、第２のハウジング５０は、Ｏリング溝５１ｂの外周に装着したＯリング５３を介して固定対象７０の取付孔７１に装着してあるので、固定対象７０からの振動をＯリング５３で緩和することができ、振動低減効果を期待することができる。
【００２４】
以上、実施の形態と共に、具体的に説明したように、本発明の移動体検出装置１００によれば、被検出体の移動に応じた電気信号を出力する磁気検出素子１０と、磁気検出素子１０に磁界を加える磁石２０と、磁気検出素子１０に接続されるリード端子３０と、磁気検出素子１０、磁石２０およびリード端子３０が一方側に取り付けられる第１のハウジング４０と、第１のハウジング４０の一方側を覆って嵌合連結され被検出体と対向して配置される第２のハウジング５０と、を有し、第１のハウジング４０には、固定対象７０に固定設置するための固定部４２が設けられるとともに、リード端子３０の一部が埋設一体化されて構成されているので、固定対象７０の振動系と磁気検出素子１０や磁石２０の振動系が同一となり、異なる振動系による検出精度の低下を抑えて高精度に検出することができる。
また、固定対象７０に固定する第１のハウジング４０に磁気検出素子１０や磁石２０を固定するので、第２のハウジング５０に樹脂を充填し硬化させて磁気検出素子１０や磁石２０を固定する必要がなく、硬化時間が不要となり短時間に効率よく生産することができる。
【００２５】
本発明の移動体検出装置１００によれば、第２のハウジング５０には、固定部４２による固定設置にともない第１のハウジング４０と固定対象７０とに挟み込まれるフランジ部５２が設けられているので、第１のハウジング４０を介して第２のハウジング５０を確実に固定することができる。これにより、万一、第１のハウジング４０と第２のハウジング５０との嵌合連結が解放されるようなことがあってもそのまま固定対象７０への固定状態を維持することができる。
【００２６】
本発明の移動体検出装置１００によれば、固定部４２は、金属製で円筒状のカラー４２ａを備えるとともに、第１のハウジング４０に一体化され、フランジ部５２は、固定部４２の周囲の少なくとも一部に形成されているので、固定部４２の金属製のカラー４２ａによって固定対象７０に確実に固定することができるとともに、固定部４２の固定にともなってフランジ部５２を挟んで固定することができ、一層強固に、確実に固定することができる。
【００２７】
端部３１ａ，３２ａの箇所で金型や治具を用いてリード３１，３２を平行に支持し、更に突出部３１ｃ，３２ｃの箇所で金型や治具を用いてリード３１，３２の先端（＋Ｘ）方向の位置を規制することによって、リード端子３０を第１のハウジング４０にインサート成形する際に、樹脂の成形圧等によるリード端子３０の位置ずれを抑える事ができる。すなわち、リード３１，３２間の距離が規定以上となり磁気検出素子１０との接続に支障が出る、またはリード３１，３２同士が接触し第１のハウジング４０内部で短絡するなどの不良品が生じることを抑制することができる。したがって、生産効率が高い移動物体検出装置とすることができる。
【００２８】
移動体検出装置１００の製造方法の一例について簡潔に説明する。
【００２９】
１）図示しない金型や治具を用いて、リード３１，３２を、端子接続部３１ｂ，３２ｂと突出部３１ｃ，３２ｃを備えるように形成する。
２）リード３１，３２と、カラー４２ａを第１のハウジング４０にインサート成形する。このとき、図示しない金型や治具を用いてリード３１，３２を平行に支持し、突出部３１ｃ，３２ｃを図示しない金型や治具で規制することによって収容部４３のリード端子３０側の面に凹部Ｒが形成される。金型や治具で端部３１ａ，３２ａを固定し、突出部３１ｃ，３２ｃを規制することで樹脂の成形圧等によるリード端子３０の位置ずれを抑えることができ、リード３１，３２は互いに平行な状態を保ったまま形成される。
３）第１凹部４３ａに磁気検出素子１０、第２凹部４３ｂに磁石２０を接着などの方法で固定する。
４）磁気検出素子１０の端子１０ｂと、端子接続部３１ｂ，３２ｂを抵抗溶接する。
５）収容部４３にＯリング４５を装着する。
６）第２のハウジング５０と第１のハウジング４０とを嵌合させた後にＯリング５３を装着する、または第２のハウジング５０にＯリング５３を装着した後に第２のハウジング５０と第１のハウジング４０とを嵌合させる。
【００３０】
本発明は、上述の実施形態に何ら限定するものではない。
例えば、上述の実施形態では、移動体検出装置１００を回転検出装置として回転運動する被検出体を検出する場合を例に説明したが、これに限らず、直線運動する被検出体を検出する場合であっても良い。
【００３１】
磁気検出素子１０は、ホールＩＣで構成した場合を例に説明したが、これに限らず他の形式のものなど任意のものであっても良い。
【００３２】
リード３１，３２が異なる形状の場合を例に説明したが、同一形状の物を左右対象となるように配置しても良い。
【００３３】
第１のハウジング４０や第２のハウジング５０等の素材については、特に限定するものではなく、通常使用される合成樹脂などを用いることができる。
【００３４】
移動体検出装置１００でのＸ，Ｙ，Ｚ方向は、説明のために設定したものであり、移動体検出装置１００の取付方向等は、これらの方向に限定するものでない。
【産業上の利用可能性】
【００３５】
本発明は、磁気検出素子を用いて二輪車の車軸の回転を検出する移動体（回転）検出装置、及び移動体（回転）検出装置の製造方法に利用可能である。
【符号の説明】
【００３６】
１００    移動体検出装置
１０    磁気検出素子
１０ａ  検出部（検出面）
１０ｂ  端子
２０    磁石
３０    リード端子
３１    リード
３１ａ  端部
３１ｂ  端子接続部
３２    リード
３２ａ  端部
３２ｂ  端子接続部
４０    第１のハウジング
４１    本体部
４１ａ  側壁部
４１ｂ  底板部（接触面）
４２    固定部
４２ａ  カラー
４３    収容部
４３ａ  第１凹部
４３ｂ  第２凹部
４３ｃ  円柱部
４４    コネクタ部
４５    Ｏリング
５０    第２のハウジング
５１    円筒部
５１ａ  リブ
５１ｂ  Ｏリング溝
５２    フランジ部
５２ａ  側壁部
５２ｂ  蓋板部
５２ｃ  底面（接触面）
５３    Ｏリング
６０    連結保持機構
６１    係合凹部
６２    係合凸部
７０    固定対象
７１    取付孔
Ｄ      移動体（被検出体）
Ｒ      凹部
【図１】
2020085649.tif 000003
【図２】
2020085649.tif 000004
【図３】
2020085649.tif 000005
【図４】
2020085649.tif 000006
【図５】
2020085649.tif 000007
【図６】
2020085649.tif 000008
【図７】
2020085649.tif 000009
【図８】
2020085649.tif 000010